(57)【特許請求の範囲】
【請求項１】
顧客ブランドの情報を蓄積したデータベースと、
前記顧客ブランドの情報と当該顧客ブランドによって選択されたサンプルテキスタイルとの関連を示す関連テーブルを作成する関連テーブル作成手段と、
前記関連テーブルを、前記サンプルテキスタイル毎に、当該サンプルテキスタイルが選択された件数と前記顧客ブランドとを対応させて示す選択ブランド一覧に変換し、別ブランド間で同一のサンプルテキスタイルが選択されたときのバッティング、または同一ブランド間で同一のサンプルテキスタイルが選択されたときのバッティングがわかるように前記選択ブランド一覧を出力する手段と、
を具備することを特徴とするサンプルテキスタイル管理システム。
【請求項２】
前記関連テーブル作成手段が作成する前記関連テーブルは、前記顧客ブランドを有する顧客からの引き合いに基づいて作成されることを特徴とする請求項１に記載のサンプルテキスタイル管理システム。
【請求項３】
前記２つのバッティングは何れも同一の顧客におけるバッティングであることを特徴とする請求項１に記載のサンプルテキスタイル管理システム。
【請求項４】
顧客ブランドの情報を蓄積したデータベースと、
前記顧客ブランドの情報と当該顧客ブランドによって選択されたサンプルテキスタイルとの関連を示す関連テーブルを作成する関連テーブル作成手段と、
前記関連テーブルを、前記サンプルテキスタイル毎に、当該サンプルテキスタイルが選択された件数と前記顧客ブランドとを対応させて示す選択ブランド一覧に変換し、当該選択ブランド一覧により発見される、別ブランド間で同一のサンプルテキスタイルが選択されたときのバッティング、または同一ブランド間で同一のサンプルテキスタイルが選択されたときのバッティングの発生を出力する手段と、
を具備することを特徴とするサンプルテキスタイル管理システム。
【請求項５】
前記関連テーブル作成手段が作成する前記関連テーブルは、前記顧客ブランドを有する顧客からの引き合いに基づいて作成されることを特徴とする請求項４に記載のサンプルテキスタイル管理システム。
【請求項６】
前記２つのバッティングは何れも同一の顧客におけるバッティングであることを特徴とする請求項４に記載のサンプルテキスタイル管理システム。
【発明の詳細な説明】
【０００１】
【産業上の利用分野】
本発明は、特に高級婦人服のような多品目少量生産の服に使用されるテキスタイル（生地）の取引の際に利用されるサンプルテキスタイル管理システムに関する。
【０００２】
【従来の技術】
高級婦人服のような多品目少量生産の服に使用されるテキスタイルを製造販売するテキスタイル会社に於いては、そのテキスタイルサンプルで引き合いを受ける。即ち、取引先の担当者、例えば、服を製造販売するアパレル会社の担当者にテキスタイルのサンプルを見せ、そのサンプルに基づいて商談を進めていく手法が取られている。
また、一つのアパレル会社が複数のブランドを持つことも多く、そのような場合には、各ブランド毎に別の担当者がテキスタイル会社に訪れることとなる。
【０００３】
【発明が解決しようとする課題】
このように、同一アパレル会社の複数人の担当者がテキスタイルを選択すると、同一アパレル会社の異なるブランドに、同一のテキスタイルが選択されるような状況も起こり得る。しかし、これはバッティングと呼ばれ、このアパレルの分野では慣習上、許されていない。
本発明は、上記の点に鑑みてなされたもので、バッティングを防止し得るサンプルテキスタイル管理システムを提供することである。
【０００４】
【課題を解決するための手段】
上記の目的を達成するために、本発明によるサンプルテキスタイル管理システムは、顧客ブランドの情報を蓄積したデータベースと、上記顧客ブランドの情報と当該顧客ブランドによって選択されたサンプルテキスタイルとの関連を示す関連テーブルを作成する関連テーブル作成手段と、上記関連テーブルを、上記サンプルテキスタイル毎に、当該サンプルテキスタイルが選択された件数と上記顧客ブランドとを対応させて示す選択ブランド一覧に変換し、別ブランド間で同一のサンプルテキスタイルが選択されたときのバッティング、または同一ブランド間で同一のサンプルテキスタイルが選択されたときのバッティングがわかるように上記選択ブランド一覧を出力する手段とを備えることを特徴としている。
【０００５】
また、上記の目的を達成するために、本発明によるサンプルテキスタイル管理システムは、顧客ブランドの情報を蓄積したデータベースと、上記顧客ブランドの情報と当該顧客ブランドによって選択されたサンプルテキスタイルとの関連を示す関連テーブルを作成する関連テーブル作成手段と、
上記関連テーブルを、上記サンプルテキスタイル毎に、当該サンプルテキスタイルが選択された件数と上記顧客ブランドとを対応させて示す選択ブランド一覧に変換し、当該選択ブランド一覧により発見される、別ブランド間で同一のサンプルテキスタイルが選択されたときのバッティング、または同一ブランド間で同一のサンプルテキスタイルが選択されたときのバッティングの発生を出力する手段とを備えることを特徴としている。
【０００６】
【作用】
即ち、本発明のサンプルテキスタイル管理システムによれば、顧客、例えばアパレル会社のブランドの情報を蓄積したデータベースを用意しておく。関連テーブル作成手段は、このデータベースに蓄積された顧客ブランドの情報と当該顧客ブランドによって選択されたサンプルテキスタイルとの関連を示す関連テーブルを作成する。そして、選択ブランド一覧を出力する手段は、その作成した関連テーブルを、上記サンプルテキスタイル毎に、当該サンプルテキスタイルが選択された件数と上記顧客ブランドとを対応させて示す選択ブランド一覧に変換し、別ブランド間で同一のサンプルテキスタイルが選択されたときのバッティング、または同一ブランド間で同一のサンプルテキスタイルが選択されたときのバッティングがわかるように上記選択ブランド一覧を出力する
【０００７】
また、本発明のサンプルテキスタイル管理システムによれば、顧客、例えばアパレル会社のブランドの情報を蓄積したデータベースを用意しておく。関連テーブル作成手段は、このデータベースに蓄積された顧客ブランドの情報と当該顧客ブランドによって選択されたサンプルテキスタイルとの関連を示す関連テーブルを作成する。そして、バッティングの発生を出力する手段は、その関連テーブルを、上記サンプルテキスタイル毎に、当該サンプルテキスタイルが選択された件数と上記顧客ブランドとを対応させて示す選択ブランド一覧に変換し、当該選択ブランド一覧により発見される、別ブランド間で同一のサンプルテキスタイルが選択されたときのバッティング、または同一ブランド間で同一のサンプルテキスタイルが選択されたときのバッティングの発生を出力する。
【０００８】
【実施例】
以下、図面を参照して、本発明の一実施例を説明する。
図１はその構成を示す図で、同図に於いて参照番号１はＣＰＵ、２はテキスタイルマスタデータベース（ＤＢ）、３は顧客マスタＤＢ、４は入／出力（Ｉ／Ｏ）装置、５はブランド生地関連テーブル、６Ａは価格表、６Ｂはサンプル台帳、６Ｃはシール、６Ｄは素材チェックリスト、６Ｅはスワッチ選択ブランド一覧、６Ｆはブランド一覧である。
【０００９】
ＣＰＵ１は、例えば、パーソナルコンピュータ等として構成され、Ｉ／Ｏ装置４はそのキーボードとして構成される。テキスタイルマスタＤＢ２は、テキスタイル単品毎の入力Ｎｏ．に対応させて当該テキスタイルの情報、例えば、製品コードであるマーク、品名、単価、使用する糸や染め方、テキスタイルの画像、等が登録される。一方、顧客マスタＤＢ３は、各ブランドの情報、例えば、ブランド名、会社名、担当者名、会社住所、電話番号、等が登録される。ブランド生地関連テーブル５は、取引先の担当者（顧客）が選択したサンプル、つまりブランドに対してどのテキスタイルが選択されたかを記憶するテーブルで、これによりテキスタイルマスタＤＢ２の情報と顧客マスタＤＢ３の情報との関連付けが行われる。価格表６Ａ乃至ブランド一覧６Ｆは、ＣＰＵ１によって、テキスタイルマスタＤＢ２、顧客マスタＤＢ３、及びブランド生地関連テーブル５の情報を基に作成され、不図示のプリンタや表示装置により出力される。
【００１０】
このような構成のサンプルテキスタイル管理システムは、図２のフローチャートに示すように動作する。
即ち、まずＩ／Ｏ装置４により、テキスタイル会社の担当者がテキスタイルの情報を入力することにより、テキスタイルマスタＤＢ２を作成する（ステップＳ１０）。こうして作成されたテキスタイルマスタＤＢ２から価格表６Ａ、サンプル台帳６Ｂ、シール６Ｃを出力することができる。
【００１１】
ここで、価格表６Ａは、例えば、図３に示すように、入力順つまり入力Ｎｏ．順に、各テキスタイルのマーク、品名、単価、染、使用番手、混率、規格、仕入価格、等を一覧表形式としたものであり、これにより各テキスタイルの価格を知ることができる。勿論、これは、マーク順にソートして出力することも可能である。
【００１２】
また、サンプル台帳６Ｂは、例えば、図４に示すように、テキスタイルは文字や数字だけでは現せないので、そのテキスタイルの情報をすべて印字し、そこにテキスタイルの現物の切れ端を貼った台帳である。本実施例のシステムでは、テキスタイルの実物を貼るエリアを持ち、そのテキスタイルの情報をすべて印字出力して、上記エリアにテキスタイルだけを貼ればいいという状態のものを印字出力する。なお、テキスタイル実物をテキスタイルの画像に置き換えても良い。
【００１３】
そして、シール６Ｃは、例えば、図５に示すように、裏面が粘着面のシール用紙上にテキスタイルの情報をコンパクトに印字したものである。通常、サンプルテキスタイルは、３５ｃｍ×７０ｃｍ位の大きさで、ハンガに吊るして並べておき、顧客がそのハンガをとってサンプルテキスタイルを見て判断するという形式である。これは、テキスタイルは、数字や文字の情報だけでは現せない、質感や色具合、肌触り等の情報こそが重要なものであるからである。しかし、これら数字や文字で現される情報もテキスタイルのサンプルと同時に顧客に示すことが好ましいので、ハンガに貼れるようなシール６Ｃとして当該テキスタイルの情報を印字出力するようにしている。
【００１４】
次に、上記テキスタイルＤＢ２の作成と同様に、Ｉ／Ｏ装置４により、テキスタイル会社の担当者が顧客の情報を入力することにより、顧客マスタＤＢ３を作成する（ステップＳ２０）。こうして作成された顧客マスタＤＢ３からブランド一覧６Ｆを出力することができる。このブランド一覧６Ｆは、例えば、図６に示すように、ブランド入力Ｎｏ．順に、各ブランドのブランド名称、担当者名、得意先Ｎｏ．、得意先名、住所を一覧表形式としたものであり、これにより各ブランドの情報を知ることができる。勿論、これは、得意先Ｎｏ．順にソートして出力することも可能である。
【００１５】
次に、顧客ブランドに対し、選択された生地Ｎｏ．の入力を行う（ステップＳ３０）。これは、顧客つまりアパレル会社の担当者が前述のハンガサンプルを見て選択したものをＩ／Ｏ装置４から入力する。そして、この入力に応じて、ＣＰＵ１は、ブランド生地関連テーブル５を作成（追加）する（ステップＳ４０）。この場合、ブランドに対して生地Ｎｏ．はユニークに選ばれるが、一着の服を作るのに複数の生地を使うことから、ブランドに対して複数の生地を選んでも良い。従って、テーブル即ちデータベースとしては、このブランドに対して何番、このブランドに対して何番、というように、選択した生地の数だけのレコードが存在する。つまり、ある顧客が来て、生地Ｎｏ．５と６という選択を行ったとすれば、これは横並びではなく、誰が幾つ、誰が幾つという件数、選択数だけのデータが存在することとなる。
【００１６】
こうして追加作成されていくブランド生地関連テーブル５に基づいて、テキスタイルマスタＤＢ２及び顧客マスタＤＢ３より必要な情報を取出して、素材チェックリスト一覧６Ｄを出力することが可能となる。ここで、素材チェックリスト６Ｄは、例えば、図７に示すように、顧客情報（得意先名，ブランド名，担当者名）と、当該テキスタイル会社の情報（住所，会社名，担当者名，電話番号等）と、顧客が選択したサンプルの情報（マーク，品名，単価，染，備考）を含む。これは、顧客が帰るときに、その顧客に渡すものである。また、この素材チェックリスト６Ｄと共に、選択された各テキスタイル毎のスワッチと呼ばれるサンプルも渡される。これは、当該テキスタイルの情報が印字されたＡ４程度の大きさの画用紙に２０ｃｍ×４０ｃｍ程度の大きさのサンプルテキスタイルを貼付したものである。この場合、当該テキスタイルの情報は、上記シール６Ｃとして印字出力したものを画用紙に貼付するものとしても良い。また、前述したような顧客選択のためにハンガに吊るしておくサンプルテキスタイルの代わりに、このスワッチを利用するようにしても良いことは勿論である。
【００１７】
そして、顧客が帰る前或いは帰った後に、テキスタイル会社の担当者は、Ｉ／Ｏ装置４より指示を与えることにより、ＣＰＵ１に上記ブランド生地関連テーブル５の情報に基づいた生地ブランド変換及び統計処理を行わせ（ステップＳ５０）、スワッチ選択ブランド一覧６Ｅを出力する。このスワッチ選択ブランド一覧６Ｅを参照することにより、バッティングしているかどうか判断できるので、バッティングしている場合には、顧客にそれを報告することができる。
【００１８】
以下、このスワッチ選択ブランド一覧６Ｅを作成するための生地ブランド変換及び統計処理を、図８のフローチャートに従って説明する。
まず、ブランド生地関連テーブル５を得意先順，ブランド順にソートして、図９に示すような表１を作成する（ステップＳ５１）。ここで、ヘッダとは項目の名称であり、データではない。
【００１９】
そして、以下のようにして、この表１から同図に示すような表２への変換を行う。即ち、表１の全データに対する処理が終了したかどうかを判断し（ステップＳ５２）、まだの場合には、表１から１レコード読出して、１回前に読出したレコードとブランドが等しいかどうか判断する（ステップＳ５３）。そして、ブランドが等しくなければ、得意先とブランドをヘッダ（横軸）にセットし（ステップＳ５４）、さらに生地Ｎｏ．をヘッダ（縦軸）にセットして、その交差する欄にデータとして「１」を入力する（ステップＳ５５）。また、ブランドが等しい場合には、上記ステップＳ５５に飛んで、生地Ｎｏ．をセットし、データとして「１」を入力する。このステップＳ５５の処理終了後は、上記ステップＳ５２に戻る。
【００２０】
こうして表２が作成されたならば、即ち表１の全データの処理が終了したならば、次に、表２を生地Ｎｏ．順にソートして、図１０に示すような表３に変換する（ステップＳ５６）。そして、同一生地Ｎｏ．のレコードを集計して、図１１に示すような表４に変換する（ステップＳ５７）。その後、右端に件数の欄を追加して、生地Ｎｏ．に対応する横方向に数字を合計し、図１２に示すような表５に変換する（ステップＳ５８）。そして、件数順にソートして、図１３に示すような表６に変換する（ステップＳ５９）。これが、スワッチ選択ブランド一覧６Ｅとして出力される。
【００２１】
このスワッチ選択ブランド一覧６Ｅに於いて、例えば左上のデータ「１」というのは、生地Ｎｏ．３５のサンプルテキスタイルをＭ．△社のＭ．△というブランドの担当者が１件選択しているということを意味する。従って、同じアパレル会社の中で違うブランドでバッティングした場合には、図１３に参照番号７Ａで示すように、「１」「１」と並ぶので、これを見つけることで、バッティングを発見することができる。また、可能性は少ないが、図１３に参照番号７Ｂで示すように、同一生地Ｎｏ．の同一ブランドのレコードが２件有ると「２」と表示され、まさに同じブランドの中でバッティングしていることが直ちに発見できる。これは、例えば、一つのブランドに複数の担当がおり、それぞれが別個に同じサンプルテキスタイルを選択した場合などに生じる。
【００２２】
このように、ブランド毎の選択状況を一目で把握できるスワッチ選択ブランド一覧６Ｅにより、同一得意先，別ブランドでのバッティング（７Ａ）、及び同一得意先，同一ブランドでのバッティング（７Ｂ）を容易に発見できるので、直ちに得意先担当者にそれを知らせることができ、バッティングの発生を防止することが可能となる。
なお、同じアパレル会社であったならば、その部分をブリンク表示やリバース表示／印字させるような警告を行うようにしても良い。
【００２３】
【発明の効果】
以上詳述したように、バッティングを防止し得るサンプルテキスタイル管理システムを提供することができる。
【図面の簡単な説明】
【図１】本発明の一実施例のサンプルテキスタイル管理システムの構成を示す図である。
【図２】一実施例の動作を説明するためのフローチャートである。
【図３】価格表を示す図である。
【図４】サンプル台帳を示す図である。
【図５】シールを示す図である。
【図６】ブランド一覧を示す図である。
【図７】素材チェックリストを示す図である。
【図８】生地ブランド変換及び統計処理のフローチャートである。
【図９】生地ブランド変換及び統計処理の途中で、ブランド生地関連テーブルから作成される表１及び該表１から作成される表２を示す図である。
【図１０】生地ブランド変換及び統計処理の途中で、表２から作成される表３を示す図である。
【図１１】生地ブランド変換及び統計処理の途中で、表３から作成される表４を示す図である。
【図１２】生地ブランド変換及び統計処理の途中で、表４から作成される表５を示す図である。
【図１３】生地ブランド変換及び統計処理により、表５から作成されるスワッチ選択ブランド一覧としての表６を示す図である。
【符号の説明】
１…ＣＰＵ、２…テキスタイルマスタデータベース（ＤＢ）、３…顧客マスタＤＢ、４…入／出力（Ｉ／Ｏ）装置、５…ブランド−生地関連テーブル、６Ａ…価格表、６Ｂ…サンプル台帳、６Ｃ…シール、６Ｄ…素材チェックリスト、６Ｅ…スワッチ選択ブランド一覧、６Ｆ…ブランド一覧。
【図１】
0003830172.tif 000002
【図２】
0003830172.tif 000003
【図３】
0003830172.tif 000004
【図４】
0003830172.tif 000005
【図５】
0003830172.tif 000006
【図６】
0003830172.tif 000007
【図７】
0003830172.tif 000008
【図８】
0003830172.tif 000009
【図９】
0003830172.tif 000010
【図１０】
0003830172.tif 000011
【図１１】
0003830172.tif 000012
【図１２】
0003830172.tif 000013
【図１３】
0003830172.tif 000014